(57)【要約】      （修正有）【課題】簡易な構造で、コンパクト化を図り、かつ容易に取付け可能なプランジャ研磨装置を提供する。【解決手段】上下に駆動するプランジャ２摺動面を研磨するために、内側面に研磨部材を装着した回転子１０と、この回転子１０を回転駆動するための駆動手段２０とを備えたプランジャ研磨装置において、回転子１０外周に鍔部１２を設け、この鍔部１２を、シリンダ上端に取付けられる上下一対の複数の押えローラ５１、５２によって回転支持するとともに、回転子１０の上部にチェーン１３を巻き付け、このチェーン１３のローラ部１３ａに、駆動手段２０としてのモータ軸２３ａに設けられたスプロケット２４を噛み合わせ、回転子１０の駆動を行なうようになっている。【選択図】図１
2005169551.tif 000002
【特許請求の範囲】
【請求項１】
上下に駆動するプランジャ摺動面を研磨するために、内側面に研磨部材を装着した回転子と、この回転子を回転駆動するための駆動手段とを備えたプランジャ研磨装置において、
前記回転子外周に鍔部を設け、この鍔部を、シリンダ上端に取付けられる上下一対の複数の押えローラによって回転支持することを特徴とするプランジャ研磨装置。
【請求項２】
前記請求項１記載の発明において、
前記回転子の上部にチェーンを巻き付け、このチェーンのローラ部に、前記駆動手段としてのモータ軸に設けられたスプロケットを噛み合わせ、前記回転子の駆動を行なうことを特徴とするプランジャ研磨装置。
【請求項３】
前記請求項２記載の発明において、
前記回転子を２分割し、この２分割された回転子に、２分割された前記チェーンをそれぞれ巻き付け固定したことを特徴とするプランジャ研磨装置。
【請求項４】
前記請求項１記載の発明において、
前記回転子に装着された前記研磨部材を前記プランジャ面に対して移動可能に設け、調整手段を介して前記研磨部材の前記プランジャに対する押付け圧力を前記回転子外部から調整可能としたことを特徴とするプランジャ研磨装置。
【発明の詳細な説明】
【技術分野】
【０００１】
本発明は、プランジャ研磨装置に係り、特に、油圧エレベータに設けられたプランジャの研磨に好適なプランジャ研磨装置に関する。
【背景技術】
【０００２】
油圧エレベータの欠点の１つに乗かご内に振動が生じ、乗り心地を悪化させるというものがある。そして、この振動の一要因としては、油圧エレベータの駆動源である油圧ジャッキのプランジャ外周面の仕上げ精度が悪い点が挙げられる。
【０００３】
すなわち、プランジャ外周面の仕上げ面が悪いと、このプランジャの昇降振動抵抗を受けるパッキンとの間にびびり振動が生じ、このびびり振動がエレベータの固有振動と共振することにより乗かごを大きく振動させ、乗かご内の乗客に不快感と不安感とを与えていた。
【０００４】
このため、従来、上下に駆動されるプランジャ外周面を研磨するため、内側面に研磨部材を装着した回転子と、この回転子を回転駆動するための駆動手段とを備えたプランジャ研磨装置が提案されている（例えば、特許文献１参照）。
【特許文献１】特開平８−１８８３５６号公報（段落番号００１５、図２）
【発明の開示】
【発明が解決しようとする課題】
【０００５】
しかしながら、上述した従来のプランジャ研磨装置では、回転子の上下に、この回転子を上下から回転自在に支持する上回転子支えおよび下回転子支えが必要となるため、装置に費用がかかるばかりか、高さ方向に嵩張り、かつ取付けにも時間がかかるという問題があった。
【０００６】
本発明は、上述した従来技術における実情からなされたもので、その目的は、簡易な構造で、コンパクト化を図り、かつ容易に取付け可能なプランジャ研磨装置を提供することにある。
【課題を解決するための手段】
【０００７】
前記目的を達成するために、本発明の請求項１記載の発明は、上下に駆動するプランジャ摺動面を研磨するために、内側面に研磨部材を装着した回転子と、この回転子を回転駆動するための駆動手段とを備えたプランジャ研磨装置において、前記回転子外周に鍔部を設け、この鍔部を、シリンダ上端に取付けられる上下一対の複数の押えローラによって回転支持することを特徴としている。
【０００８】
このように構成した請求項１に係る本発明は、内側面に研磨部材を装着した回転子をプランジャに取付けるとともに、この回転子の外周に設けられた鍔部をシリンダ上端に取付けられる上下一対の複数の押えローラによって回転支持する。この状態で駆動手段を動作させることにより回転子を回転駆動し、研磨部材によりプランジャを研磨する。このように、回転子は鍔部を介してシリンダ上端に設けられた上下一対の複数の押えローラによって回転支持される構成であることから、構造を簡易なものとし、コンパクト化を図り、かつ容易に取付けることができる。
【０００９】
また、請求項２に係る発明は、前記回転子の上部にチェーンを巻き付け、このチェーンのローラ部に、前記駆動手段としてのモータ軸に設けられたスプロケットを噛み合わせ、前記回転子の駆動を行なうことを特徴としている。このように構成した請求項２に係る発明は、駆動手段であるモータを作動させることにより、このモータのモータ軸に設けられたスプロケットが回動し、この回動に応じてスプロケットに噛み合わされるチェーンに駆動力が伝達されるとともに、チェーンが巻き付けられる回転子も同期して回動する。
【００１０】
さらに、請求項３に係る発明は、前記回転子を２分割し、この２分割された回転子に、２分割された前記チェーンをそれぞれ巻き付け固定したことを特徴としている。このように構成した請求項３に係る発明は、プランジャに２分割された回転子をそれぞれが対向するようにして取付けるとともに、あらかじめそれぞれの回転子に巻き付け固定されるチェーンにスプロケットを噛み合わせ、モータにより回転子を駆動してプランジャの研磨を行なう。
【００１１】
さらにまた、請求項４に係る発明は、前記回転子に装着された前記研磨部材を前記プランジャ面に対して移動可能に設け、調整手段を介して前記研磨部材の前記プランジャに対する押付け圧力を前記回転子外部から調整可能としたことを特徴としている。このように構成した請求項４に係る発明は、調整手段を介して研磨部材のプランジャに対する押付け圧力を回転子外部から調整し、この状態で駆動手段を作動させプランジャの研磨を行う。
【発明の効果】
【００１２】
本発明は、回転子外周部に鍔部を設け、この鍔部をシリンダ上端に設けられた上下一対の複数の押えローラによって回転支持する構成であるため、簡易な構造で制作費用を安価なものとすることができるとともに、コンパクト化を図ることができ、かつ取付けを容易なものとし、作業性の向上も図ることができる。
【００１３】
また、回転子に巻き付けられたチェーンにモータに設けられるスプロケットを噛み合わせる構成としたことにより、回転子側方に溝を設ける等の特別な加工を要することがなく、したがって、制作費用の低減を図るとともに、モータも外側に突出せずに装置全体をコンパクトなものとすることができる。
【００１４】
さらに、２分割した回転子に、２分割されたチェーンをそれぞれ巻き付け固定することにより、現地でチェーンを回転子に巻き付け、チェーンを繋ぐという煩わしい作業を割愛することができ、作業性の向上を図ることができる。
【００１５】
さらにまた、研磨部材のプランジャに対する押付け圧力を回転子外部から調整可能することにより、研磨性能を調整できるという効果も得ることができる。
【発明を実施するための最良の形態】
【００１６】
以下、本発明に係るプランジャ研磨装置の実施形態を図に基づいて説明する。
【００１７】
図１は本発明の第１実施形態の要部構成を示す全体構成図、図２はプランジャ研磨装置の断面構造図、図３はプランジャ研磨装置の回転子の分解詳細図である。
【００１８】
本実施形態のプランジャ研磨装置は図１に示すように、内側面に研磨部材１１を装着した回転子１０と、この回転子１０を回転駆動するための駆動手段２０と、駆動手段２０を制御する制御部３０と、回転子１０の下方に設けられるスクレーパ部４０とを有して成っている。
【００１９】
そして、回転子１０は図２、３に示すように２分割されるとともに、その外周に、シリンダ上端、すなわちグランド部１に取付けられる上下一対の複数の押えローラ５１、５２によって回転支持される鍔部１２が設けられている。また、２分割されたそれぞれの回転子１０の上部にあらかじめ巻き付け固定されるチェーン１３と、その内側に設けられ、プランジャ２に摺接する研磨部材１１と、この研磨部材１１が取付けられる取付板１４と、この取付板１４に設けられ、回転子１０に形成された孔１５に挿通されるとともに、その外周にねじ山が形成されるロッド１６と、このロッド１６に装着され、かつ取付板１４と回転子１０の間に介在されるばね１７と、回転子１０の外周に備えられ、ロッド１６に螺合される押付け圧力調整ナット１８とを備えている。なお、ロッド１６、ばね１７および押付け圧力調整ナット１８により調整手段を構成している。
【００２０】
さらに、前述した下部押えローラ５１および上部押えローラ５２は図２に示すように、下部押えローラ５１がスクレーパ部４０に取付けられるとともに、上部押えローラ５２がスクレーパ部４０に接続されたローラブラケット５３に取付けられ、鍔部１２が下部押えローラ５１と上部押えローラ５２との間に若干の隙間を持って挟み込まれるようになっている。
【００２１】
また、駆動手段２０は図２に示すように、スクレーパ部４０に取付ボルト２１にて共締めされるモータブラケット２２により支持されるモータ２３と、このモータ２３のモータ軸２３ａに設けられるスプロケット２４とを有しており、スプロケット２４がチェーン１３のローラ部１３ａに噛み合うことにより回転子１０の駆動を行なうようになっている。
【００２２】
さらに、スクレーパ部４０は、２分割されたスクレーパ取付板４１と、このスクレーパ取付板４１に取付けられ、プランジャ２の表面に摺接可能なスクレーパ４２と、下部押えローラ５１が取付けられるスクレーパ押え板４３とから成り、これらのスクレーパ取付板４１およびスクレーパ押え板４３は、グランド部ボルト１ａに継ナット４４を介し、取付ボルト２１にて共締めされている。
【００２３】
本実施形態にあってプランジャ２の研磨を行なう場合、まず、作業者は図示しない乗かご上にてグランド部１に移動する。ここで、グランド部ボルト１ａに複数の継ナット４４を取付け、スクレーパ部４０を組立てる。すなわち、スクレーパ取付板４１およびスクレーパ押え板４３を順次組み込み、スクレーパ４２をプランジャ２の表面に当接させる。このとき、スクレーパ押え板４３に取付けられた下部押えローラ５１も組み込まれることになる。次に、プランジャ２を挟み込むようにして一対の回転子１０を取付け、互いの回転子１０を結合し、プランジャ２の表面に研磨部材１１を当接させる。この後、上部押えローラ５２が取付けられたローラブラケット５３をスクレーパ押え板４３に接続することにより、あらかじめスクレーパ押え板４３と共に組み込まれた下部押えローラ５１と上部押えローラ５２とで回転子１０の鍔部１２が挟み込まれる。次いで、取付ボルト２１にてスクレーパ押え板４３に対しモータブラケット２２を介してモータ２３を取付け、モータ軸２３ａに設けられるスプロケット２４をチェーン１３のローラ部１３ａに噛み合わせ、モータ２３を制御する制御部３０を乗かご上もしくは図示しない昇降路内に配置する。加えて、作業者は押付け圧力調整ナット１８をプランジャ２方向に螺進させたり、プランジャ２から離れる方向に螺退させたりすることにより研磨部材１１のプランジャ２に対する押付け圧力を調整する。
【００２４】
この状態で作業者は制御部３０を操作しプランジャ研磨装置を動作させる。モータ２３が回転するとスプロケット２４、チェーン１３を介して回転子１０が回転し、研磨部材１１によりプランジャ２の表面が研磨される。そして、図示しない乗かごを昇降させることによりプランジャ２を上下動させ、このプランジャ２の全長にわたって研磨を実施する。このとき、プランジャ２の上下に応じて回転子１０に対し上下方向に応力が作用するが、上部押えローラ５２および下部押えローラ５１により回転子１０下端の鍔部１２を支持していることにより、回転子１０が上下に移動することはない。
【００２５】
このように構成される本実施形態では、回転子１０外周部に鍔部１２を設け、この鍔部１２をシリンダ上端に設けられた上下一対の複数の押えローラ５１、５２によって回転支持する構成であるため、簡易な構造で制作費用を安価なものとすることができるとともに、コンパクト化を図ることができ、かつ取付けを容易なものとし、作業性の向上も図ることができる。また、回転子１０に巻き付けられたチェーン１３にモータ２３に設けられるスプロケット２４を噛み合わせる構成としたことにより、回転子１０側方に溝を設ける等の特別な加工を要することがなく、したがって、制作費用の低減を図るとともに、モータ２３も外側に突出せずに装置全体をコンパクトなものとすることができる。さらに、２分割した回転子１０に、２分割されたチェーン１３をそれぞれ巻き付け固定することにより、現地でチェーン１３を回転子１０に巻き付け、チェーン１３を繋ぐという煩わしい作業を割愛することができ、作業性の向上を図ることができる。さらにまた、研磨部材１１のプランジャ２に対する押付け圧力を回転子１０外部から調整可能することにより、研磨性能を調整することができる。
【図面の簡単な説明】
【００２６】
【図１】本発明の第１実施形態の要部構成を示す全体構成図である。
【図２】プランジャ研磨装置の断面構造図である。
【図３】プランジャ研磨装置の回転子の分解詳細図である。
【符号の説明】
【００２７】
２    プランジャ
１０    回転子
１１    研磨部材
１２    鍔部
１３    チェーン
１3ａ    ローラ部
１６    ロッド（調整手段）  
１７    ばね（調整手段）  
１８    圧力調整ナット（調整手段）
２０    駆動手段
２３    モータ
２３ａ    モータ軸
２４    スプロケット
３０    制御手段
４０    スクレーパ部
５１    下部押えローラ
５２    上部押えローラ  
【図１】
2005169551.tif 000003
【図２】
2005169551.tif 000004
【図３】
2005169551.tif 000005